(57)【要約】【課題】本発明は、ホワイトバランスの調整時間を短縮させることができ、製品の生産効率を向上させることができるホワイトバランス調整システムおよびホワイトバランス調整方法を提供することを課題とする。【解決手段】第１調整点および第２調整点におけるＬＣＤ２０の色度を測定する色度測定器３０を設け、マイコン２４は、ＬＣＤ２０に白ベタ画面を表示させ、第１調整点における色度と第２調整点における色度との差分を補正量として算出し、ＬＣＤ２０の第１調整点に対応する領域に第１の階調の第１白パターンを表示させると共に、第２調整点に対応する領域に第２の階調の第２白パターンを表示させ、第１調整点における色度に基づいて、第１白パターンでのホワイトバランスの調整を行うと共に、第２調整点における色度を算出した補正量で補正した色度に基づいて、第２白パターンでのホワイトバランスの調整を行うようにする。【選択図】        図１
2008147999.tif 000002
【特許請求の範囲】
【請求項１】
画面の色度を測定することでホワイトバランスを調整するホワイトバランス調整システムであって、
第１調整点および当該第１調整点とは異なる位置である第２調整点における前記画面の色度を測定する色度測定手段と、
前記画面に白の単色画面を表示させ、前記色度測定手段によって測定された前記第１調整点における色度と前記第２調整点における色度との差分を補正量として算出する補正量算出手段と、
前記画面の前記第１調整点に対応する領域に第１の階調の第１白パターンを表示させると共に、前記第２調整点に対応する領域に前記第１白パターンとは異なる第２の階調の第２白パターンを表示させ、前記色度測定手段によって測定された前記第１調整点における色度に基づいて、前記第１白パターンでのホワイトバランスの調整を行うと共に、前記色度測定手段によって測定された前記第２調整点における色度を前記補正量算出手段によって算出した前記補正量で補正した色度に基づいて、前記第２白パターンでのホワイトバランスの調整を前記第１白パターンでのホワイトバランスの調整と並行して行うホワイトバランス調整手段とを具備することを特徴とするホワイトバランス調整システム。
【請求項２】
前記第１調整点は、前記画面の中心であることを特徴とする請求項１記載のホワイトバランス調整システム。
【請求項３】
画面の色度を測定することでホワイトバランスを調整するホワイトバランス調整方法であって、
前記画面に白の単色画面を表示し、
第１調整点および当該第１調整点とは異なる位置である第２調整点における前記画面の色度を測定し、
測定した前記第１調整点における色度と前記第２調整点における色度との差分を補正量として算出し、
前記画面の前記第１調整点に対応する領域に第１の階調の第１白パターンを表示すると共に、前記第２調整点に対応する領域に前記第１白パターンとは異なる階調の第２の階調の第２白パターンを表示し、
前記第１調整点および前記第２調整点における前記画面の色度を測定し、
測定した前記第１調整点における色度に基づいて、前記第１白パターンでのホワイトバランスの調整を行うと共に、測定した前記第２調整点における色度を算出した前記補正量で補正した色度に基づいて、前記第２白パターンでのホワイトバランスの調整を前記第１白パターンでのホワイトバランスの調整と並行して行うことを特徴とするホワイトバランス調整方法。
【請求項４】
前記第１調整点は、前記画面の中心であることを特徴とする請求項３記載のホワイトバランス調整方法。
【発明の詳細な説明】
【技術分野】
【０００１】
本発明は、画面の色度を測定することでホワイトバランスを調整するホワイトバランス調整システムおよびホワイトバランス調整方法に関し、特に画面の複数箇所で色度を測定することでホワイトバランスを調整するホワイトバランス調整システムおよびホワイトバランス調整方法に関する。
【背景技術】
【０００２】
図６は、従来のホワイトバランス調整方法を説明するためのフローチャートである。
従来、液晶パネルを用いた表示装置においては、生産段階においてガンマ特性に応じてホワイトバランスの調整が行われている（例えば、特許文献１参照）。通常、ホワイトバランスの調整は、画面上の１点の色度を測定することによって行われ、図６に示すように、複数の階調の白パターンを順次画面に表示させ、各白パターン毎（図６に示す例では６段階の階調の白パターン）に行われる。
【０００３】
しかしながら、従来技術では、各階調の白パターン毎のホワイトバランスを調整するために、各階調の白パターン毎に画面を切り換える必要があり、ホワイトバランスの調整時間が長くかかってしまうという問題点があった。
【特許文献１】特開平５−１２７６２０号公報
【発明の開示】
【発明が解決しようとする課題】
【０００４】
本発明は斯かる問題点に鑑みてなされたものであり、その目的とするところは、各階調の白パターン毎に画面を切り換えることなく、各階調の白パターン毎のホワイトバランスを調整することができ、ホワイトバランスの調整時間を短縮させることができ、製品の生産効率を向上させることができるホワイトバランス調整システムおよびホワイトバランス調整方法を提供する点にある。
【課題を解決するための手段】
【０００５】
本発明は上記課題を解決すべく、以下に掲げる構成とした。
本発明のホワイトバランス調整システムは、画面の色度を測定することでホワイトバランスを調整するホワイトバランス調整システムであって、第１調整点および当該第１調整点とは異なる位置である第２調整点における前記画面の色度を測定する色度測定手段と、前記画面に白の単色画面を表示させ、前記色度測定手段によって測定された前記第１調整点における色度と前記第２調整点における色度との差分を補正量として算出する補正量算出手段と、前記画面の前記第１調整点に対応する領域に第１の階調の第１白パターンを表示させると共に、前記第２調整点に対応する領域に前記第１白パターンとは異なる第２の階調の第２白パターンを表示させ、前記色度測定手段によって測定された前記第１調整点における色度に基づいて、前記第１白パターンでのホワイトバランスの調整を行うと共に、前記色度測定手段によって測定された前記第２調整点における色度を前記補正量算出手段によって算出した前記補正量で補正した色度に基づいて、前記第２白パターンでのホワイトバランスの調整を前記第１白パターンでのホワイトバランスの調整と並行して行うホワイトバランス調整手段とを具備することを特徴とする。
【０００６】
さらに、本発明のホワイトバランス調整システムにおいては、前記第１調整点は、前記画面の中心であることを特徴とする。
【０００７】
また、本発明のホワイトバランス調整方法は、画面の色度を測定することでホワイトバランスを調整するホワイトバランス調整方法であって、前記画面に白の単色画面を表示し、第１調整点および当該第１調整点とは異なる位置である第２調整点における前記画面の色度を測定し、測定した前記第１調整点における色度と前記第２調整点における色度との差分を補正量として算出し、前記画面の前記第１調整点に対応する領域に第１の階調の第１白パターンを表示すると共に、前記第２調整点に対応する領域に前記第１白パターンとは異なる階調の第２の階調の第２白パターンを表示し、前記第１調整点および前記第２調整点における前記画面の色度を測定し、測定した前記第１調整点における色度に基づいて、前記第１白パターンでのホワイトバランスの調整を行うと共に、測定した前記第２調整点における色度を算出した前記補正量で補正した色度に基づいて、前記第２白パターンでのホワイトバランスの調整を前記第１白パターンでのホワイトバランスの調整と並行して行うことを特徴とする。
【０００８】
さらに、本発明のホワイトバランス調整方法においては、前記第１調整点は、前記画面の中心であることを特徴とする。
【発明の効果】
【０００９】
本発明のホワイトバランス調整システムおよびホワイトバランス調整方法は、第１調整点および当該第１調整点とは異なる位置である第２調整点における画面の色度を測定する色度測定手段を設け、画面に白の単色画面を表示させ、色度測定手段によって測定された第１調整点における色度と第２調整点における色度との差分を補正量として算出し、画面の第１調整点に対応する領域に第１の階調の第１白パターンを表示させると共に、第２調整点に対応する領域に第１白パターンとは異なる第２の階調の第２白パターンを表示させ、色度測定手段によって測定された第１調整点における色度に基づいて、第１白パターンでのホワイトバランスの調整を行うと共に、色度測定手段によって測定された第２調整点における色度を算出した補正量で補正した色度に基づいて、第２白パターンでのホワイトバランスの調整を第１白パターンでのホワイトバランスの調整と並行して行うようにするように構成することにより、１つの画面に表示された複数の階調の白パターンにおけるそれぞれホワイトバランスの高精度な調整を並行して行うことができるため、各階調の白パターン毎に画面を切り換えることなく、各階調の白パターン毎のホワイトバランスを調整することができ、ホワイトバランスの調整時間を短縮させることができ、製品の生産効率を向上させることができるという効果を奏する。
【００１０】
さらに、本発明のホワイトバランス調整システムおよびホワイトバランス調整方法は、第１調整点を画面の中心とすることにより、画面の中心にない第２調整点で測定された色度も画面の中心で測定した色度とみなしてホワイトバランスの調整を行うことができ、複数の調整点で並行してホワイトバランスの調整を行っても精度を向上させることができるという効果を奏する。
【発明を実施するための最良の形態】
【００１１】
以下、本発明の実施の形態を図面に基づいて詳細に説明する。
【００１２】
図１は、本発明に係るホワイトバランス調整システムの実施の形態の構成を示すブロック図であり、図２は、図１に示す色度測定器によって測定するＬＣＤ上の調整点を示す図である。
【００１３】
本実施の形態のホワイトバランス調整システムは、図１を参照すると、テレビジョン装置１０と、色度測定器３０と、テレビ制御装置４０とからなり、テレビジョン装置１０に表示されたホワイトバランス調整用画面の色度を色度測定器３０によって測定することでホワイトバランスの調整を行う。
【００１４】
テレビジョン装置１０は、アンテナ１１で受信された放送波の信号を選択して中間周波信号を生成するチューナ１２と、中間周波信号を増幅すると共に検波することで映像信号Ｖと音声信号Ｓとを取り出して出力する中間周波処理部１３と、中間周波処理部１３から入力された映像信号Ｖおよび音声信号Ｓ、もしくは他の機器等から外部入力された映像信号および音声信号を選択するＡＶセレクタ１４と、ＡＶセレクタ１４で選択された音声信号Ｓを増幅してスピーカ１５から出力する音声アンプ１６と、ＡＶセレクタ１４で選択された映像信号Ｖを輝度信号Ｙと色信号Ｃとに分離するＹ／Ｃ分離部１７と、色信号Ｃから色差信号ＵＶを復調し、輝度信号Ｙと色差信号ＵＶとを出力するクロマデコーダ１８と、ホワイトバランス調整値が記憶されるメモリ１９と、輝度信号Ｙと色差信号ＵＶとをメモリ１９に記憶されているホワイトバランス調整値に基づいてＲＧＢ信号に変換し、ＬＣＤ（液晶ディスプレイ）２０に表示させるＲＧＢプロセッサ２１と、ＬＣＤ２０にホワイトバランス調整用画面として白ベタと呼称される白の単色画面（以下、白ベタ画面と称す）および複数の階調画面を順次表示させるＯＳＤ用キャラクタジェネレータ２２と、ＣＯＭポート２３を介して接続されたテレビ制御装置４０からの指示に基づいて一連のホワイトバランス調整動作を実行するマイコン２４とを備えている。
【００１５】
色度測定器３０は、図２に示すように、ＬＣＤ２０の画面中心である調整点Ａにおける色度と、調整点Ａよりも上方に位置する調整点Ｂにおける色度と、調整点Ａよりも下方に位置する調整点Ｃにおける色度とをそれぞれ測定し、測定した調整点Ａ〜Ｃのそれぞれの色度をテレビ制御装置４０に出力する。なお、本実施の形態では、調整点を３箇所としたが、調整点を２箇所もしくは４箇所以上に設定するようにしても良い。
【００１６】
テレビ制御装置４０は、テレビジョン装置１０のＣＯＭポート２３に接続され、ホワイトバランスの調整をテレビジョン装置１０に指示すると共に、色度測定器３０によって測定された調整点Ａ〜Ｃのそれぞれの色度をテレビジョン装置１０に出力する。
【００１７】
マイコン２４は、テレビ制御装置４０からホワイトバランスの調整を指示されると、ＯＳＤ用キャラクタジェネレータ２２を用いて、図２（ａ）に示すような白ベタ画面をＬＣＤ２０に表示させ、テレビ制御装置４０から入力された調整点Ａの色度と調整点Ｂの色度との差分ＸＡＢと、調整点Ａの色度と調整点Ｃの色度との差分ＸＡＣとを補正量としてメモリ１９に記憶させると共に、ＯＳＤ用キャラクタジェネレータ２２を用いて、図２（ｂ）に示すような調整点Ａ〜Ｃにそれぞれ対応する領域に異なる階調の白パターンが配置された階調画面を表示させ、テレビ制御装置４０から入力された調整点Ａ〜Ｃのそれぞれの色度と、メモリ１９に記憶させた補正量とに基づいて、予めメモリ１９に記憶されているホワイトバランス調整値を補正する。
【００１８】
次に、本実施の形態の動作について図３乃至図５を参照して詳細に説明する。
図３は、発明に係るホワイトバランス調整システムの実施の形態におけるホワイトバランス調整動作を説明するためのフローチャートであり、図４は、図２に示す調整点Ａにおける階調毎のホワイトバランス調整動作を説明するためのフローチャートであり、図５は、図２に示す調整点Ｂおよび調整点Ｃにおける階調毎のホワイトバランス調整動作を説明するためのフローチャートである。
【００１９】
図３を参照すると、調整点ＡがＬＣＤ２０の画面中心に位置するように色度測定器３０をセットすると共に、テレビ制御装置４０をテレビジョン装置１０のＣＯＭポート２３に接続し、テレビ制御装置４０を操作することでホワイトバランスの調整をテレビジョン装置１０に指示し、ホワイトバランスの調整が指示されると、マイコン２４は、ＯＳＤ用キャラクタジェネレータ２２を用いて予め設定された白ベタ画面をＬＣＤ２０に表示させる（ステップＡ１）。
【００２０】
色度測定器３０は、ＬＣＤ２０に表示された白ベタ画面における、ＬＣＤ２０の画面中心である調整点Ａにおける色度と、調整点Ａよりも上方に位置する調整点Ｂにおける色度と、調整点Ａよりも下方に位置する調整点Ｃにおける色度とをそれぞれ測定して、測定した調整点Ａ〜Ｃのそれぞれの色度をテレビ制御装置４０に出力し、テレビ制御装置４０は、入力された調整点Ａ〜Ｃのそれぞれの色度をＣＯＭポート２３経由でマイコン２４に入力し、マイコン２４は、テレビ制御装置４０から入力された調整点Ａの色度と調整点Ｂの色度との差分ＸＡＢと、調整点Ａの色度と調整点Ｃの色度との差分ＸＡＣとを補正量として算出し（ステップＡ２）、算出した補正量をメモリ１９に記憶させる。
【００２１】
次に、マイコン２４は、ＯＳＤ用キャラクタジェネレータ２２を用いて、調整点Ａに対応する領域に６階調目の白パターンが、調整点Ｂに対応する領域に５階調目の白パターンが、調整点Ｃに対応する領域に４階調目の白パターンがそれぞれ配置された第１の階調画面を表示させ、６階調目のホワイトバランスの調整と（ステップＡ３）、５階調目のホワイトバランスの調整と（ステップＡ４）、４階調目のホワイトバランスの調整と（ステップＡ５）を並行して行う。
【００２２】
さらに、マイコン２４は、ＯＳＤ用キャラクタジェネレータ２２を用いて、調整点Ａに対応する領域に３階調目の白パターンが、調整点Ｂに対応する領域に２階調目の白パターンが、調整点Ｃに対応する領域に１階調目の白パターンがそれぞれ配置された第２の階調画面を表示させ、３階調目のホワイトバランスの調整と（ステップＡ６）、２階調目のホワイトバランスの調整と（ステップＡ７）、１階調目のホワイトバランスの調整と（ステップＡ８）を並行して行い、ホワイトバランス調整動作を終了する。
【００２３】
このように、本実施の形態では、６段階の階調でそれぞれのホワイトバランスの調整、すなわちホワイトバランス調整値を補正するように構成したが、ホワイトバランスの調整を行う階調は、何段階であっても良く、また、各階調間は、直線補完によってホワイトバランス調整値を設定するようにすると良い。
【００２４】
上述のステップＡ３およびステップＡ６での調整点Ａにおけるホワイトバランス調整動作を具体的に説明する。図４を参照すると、まず、マイコン２４は、ＯＳＤ用キャラクタジェネレータ２２を用いて、調整点Ａに対応する領域にｎ階調目の白パターンが配置された階調画面を表示させる（ステップＢ１）。メモリ１９には、ホワイトバランスの調整を行う階調毎のホワイトバランス調整値が予め記憶されており、調整点Ａに対応する領域へのｎ階調目の白パターンの表示は、メモリ１９に予め記憶されているホワイトバランス調整値に基づいて行われる。
【００２５】
次に、色度測定器３０は、ＬＣＤ２０に表示された階調画面における、ＬＣＤ２０の画面中心である調整点Ａにおける色度を測定して（ステップＢ２）、測定した調整点Ａの色度をテレビ制御装置４０に出力し、テレビ制御装置４０は、入力された調整点Ａの色度をＣＯＭポート２３経由でマイコン２４に入力し、マイコン２４は、テレビ制御装置４０から入力された調整点Ａの色度がスペック範囲内か否かを判断する（ステップＢ３）。なお、ホワイトバランスの調整を行う階調毎の色度のスペック範囲（許容範囲）は、メモリ１９に予め記憶されている。
【００２６】
ステップＢ３で調整点Ａの色度がスペック範囲内でない場合には、ホワイトバランス調整値を変更した後、ステップＢ１に戻って、変更したホワイトバランス調整値に基づくｎ階調目の白パターンを調整点Ａに対応する領域に表示させる。以降、ステップＢ３で調整点Ａの色度がスペック範囲内になるまで、ステップＢ１〜ステップＢ４が繰り返されて、ホワイトバランス調整値が適切な値に補正されることになる。
【００２７】
次に、上述のステップＡ４およびステップＡ７での調整点Ｂにおけるホワイトバランス調整動作と、上述のステップＡ５およびステップＡ８での調整点Ｃにおけるホワイトバランス調整動作とを具体的に説明する。図５を参照すると、調整点Ｂおよび調整点Ｃにおけるホワイトバランス調整動作では、上述の調整点Ａにおけるホワイトバランス調整動作でのステップＢ２の後に、ステップＢ２で測定した色度をメモリ１９に記憶しておいた補正量で補正し（ステップＣ１）、ステップＢ３で補正した色度がスペック範囲内か否かを判断する。
【００２８】
すなわち、調整点Ａ（画面中心）の色度と調整点Ｂの色度との差分ＸＡＢによって調整点Ｂの色度を補正することにより、調整点Ｂで測定した色度を調整点Ａ（画面中心）で測定した色度とみなしてホワイトバランスの調整を行うことができると共に、調整点Ａ（画面中心）の色度と調整点Ｃの色度との差分ＸＡＣによって調整点Ｃの色度を補正することにより、調整点Ｃで測定した色度を調整点Ａ（画面中心）で測定した色度とみなしてホワイトバランスの調整を行うことができる。
【００２９】
以上説明したように、本実施の形態によれば、第１調整点および当該第１調整点とは異なる位置である第２調整点におけるＬＣＤ２０の色度を測定する色度測定器３０を設け、マイコン２４は、ＬＣＤ２０に白ベタ画面を表示させ、色度測定器３０によって測定された第１調整点における色度と第２調整点における色度との差分を補正量として算出し、ＬＣＤ２０の第１調整点に対応する領域に第１の階調の第１白パターンを表示させると共に、第２調整点に対応する領域に第１白パターンとは異なる第２の階調の第２白パターンを表示させ、色度測定器３０によって測定された第１調整点における色度に基づいて、第１白パターンでのホワイトバランスの調整を行うと共に、色度測定器３０によって測定された第２調整点における色度を算出した補正量で補正した色度に基づいて、第２白パターンでのホワイトバランスの調整を第１白パターンでのホワイトバランスの調整と並行して行うようにするように構成することにより、１つの画面に表示された複数の階調の白パターンにおけるそれぞれホワイトバランスの高精度な調整を並行して行うことができるため、各階調の白パターン毎に画面を切り換えることなく、各階調の白パターン毎のホワイトバランスを調整することができ、ホワイトバランスの調整時間を短縮させることができ、製品の生産効率を向上させることができるという効果を奏する。
【００３０】
さらに、本実施の形態によれば、第１調整点をＬＣＤ２０の中心とすることにより、ＬＣＤ２０の中心にない第２調整点で測定された色度もＬＣＤ２０の中心で測定した色度とみなしてホワイトバランスの調整を行うことができ、複数の調整点で並行してホワイトバランスの調整を行っても精度を向上させることができるという効果を奏する。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３２】
【図１】本発明に係るホワイトバランス調整システムの実施の形態の構成を示すブロック図である。
【図２】図１に示す色度測定器によって測定するＬＣＤ上の調整点を示す図である。
【図３】発明に係るホワイトバランス調整システムの実施の形態におけるホワイトバランス調整動作を説明するためのフローチャートである。
【図４】図２に示す調整点Ａにおける階調毎のホワイトバランス調整動作を説明するためのフローチャートである。
【図５】図２に示す調整点Ｂおよび調整点Ｃにおける階調毎のホワイトバランス調整動作を説明するためのフローチャートである。
【図６】従来のホワイトバランス調整方法を説明するためのフローチャートである。
【符号の説明】
【００３３】
１０  テレビジョン装置
１１  アンテナ
１２  チューナ
１３  中間周波処理部
１４  ＡＶセレクタ
１５  スピーカ
１６  音声アンプ
１７  Ｙ／Ｃ分離部
１８  クロマデコーダ
１９  メモリ
２０  ＬＣＤ
２１  ＲＧＢプロセッサ
２２  ＯＳＤ用キャラクタジェネレータ
２３  ＣＯＭポート
２４  マイコン
３０  色度測定器
４０  テレビ制御装置
【図１】
2008147999.tif 000003
【図２】
2008147999.tif 000004
【図３】
2008147999.tif 000005
【図４】
2008147999.tif 000006
【図５】
2008147999.tif 000007
【図６】
2008147999.tif 000008